(57)【要約】【課題】データを再生する再生装置、該再生装置による再生処理を制御装置によって制御する再生システム、再生方法、コンピュータプログラムを提供する。【解決手段】電子ＰＯＰ装置１の制御部１０は、再生情報テーブル１３ｂに登録してあるいずれかの再生開始時刻が経過した場合、対応する広告情報の再生処理を開始する。制御部１０は、広告情報の再生中にカメラ２から画像データを取得した場合、画像データ中の視聴者の移動速度を検出し、検出した移動速度が所定範囲内であれば、この視聴者の注目時間を算出する。制御部１０は、検出した移動速度が所定範囲外となった場合、この視聴者のこれまでの注目時間に応じた注目度ポイントを、前記広告情報に対する注目度に加算する。制御部１０は、広告情報の再生処理が終了された場合、全ての視聴者のこれまでの注目時間に応じた注目度ポイントを、前記広告情報に対する注目度に加算する。【選択図】図２
2008197266.tif 000002
【特許請求の範囲】
【請求項１】
記憶手段に記憶してあるデータを再生する再生装置において、
再生中のデータを視聴する視聴者に係る情報を取得する取得手段と、
該取得手段が取得した情報に基づいて、前記データに対する視聴者の注目度を算出する注目度算出手段と
を備えることを特徴とする再生装置。
【請求項２】
時計手段と、
予め設定された複数の時間帯をそれぞれ示す時刻を記憶する時刻記憶手段とを備え、
前記注目度算出手段は、前記時計手段が示す時刻に基づいて、前記時刻記憶手段に記憶してある各時刻が示す時間帯毎に、各時間帯に再生されたデータに対する注目度を算出するように構成してあることを特徴とする請求項１に記載の再生装置。
【請求項３】
所定時間を経過する都度、前記取得手段が取得した情報に基づいて、自身を基準とした所定範囲内に存在する視聴者を検知する検知手段と、
該検知手段が検知した視聴者の移動速度を検出する検出手段と、
該検出手段が検出した移動速度が所定範囲内であるか否かを判断する判断手段と、
該判断手段が所定範囲内であると判断した場合、前記所定時間を累計する累計手段とを備え、
前記注目度算出手段は、前記累計手段が累計した時間が長いほど、前記データに対する注目度を高く算出するように構成してあることを特徴とする請求項１又は２に記載の再生装置。
【請求項４】
前記取得手段は、再生中のデータを視聴する視聴者を時系列的に連続して撮像した画像情報を取得するように構成してあり、
前記検知手段は、前記取得手段が取得した画像情報に基づいて、該画像情報中の視聴者を検知するように構成してあり、
前記検出手段は、前記取得手段が取得した画像情報に基づいて、前記検知手段が検知した視聴者の移動速度を検出するように構成してあることを特徴とする請求項３に記載の再生装置。
【請求項５】
前記注目度算出手段が算出した注目度に基づいて、再生すべきデータを選択する手段と、
選択されたデータを再生する手段と
を備えることを特徴とする請求項１乃至４のいずれかひとつに記載の再生装置。
【請求項６】
請求項１乃至４のいずれかひとつに記載の再生装置と、該再生装置が行なう再生処理を制御する制御装置とを備える再生システムにおいて、
前記再生装置は、前記注目度算出手段が算出した注目度を前記制御装置へ送出する手段を備え、
前記制御装置は、
前記再生装置から送出された注目度に基づいて、前記再生装置が再生すべきデータを選択する手段と、
選択されたデータの再生指示を前記再生装置へ送出する手段とを備え、
前記再生装置は、前記制御装置から送出された再生指示に従って、前記データを再生する手段を備えることを特徴とする再生システム。
【請求項７】
データを記憶手段に記憶してある再生装置による前記データの再生方法において、
再生中のデータを視聴する視聴者に係る情報を取得するステップと、
取得した情報に基づいて、前記データに対する視聴者の注目度を算出するステップと
を含むことを特徴とする再生方法。
【請求項８】
所定時間を経過する都度、取得した視聴者に係る情報に基づいて、前記再生装置を基準とした所定範囲内に存在する視聴者を検知するステップと、
検知された視聴者の移動速度を検出するステップと、
検出された移動速度が所定範囲内であるか否かを判断するステップと、
所定範囲内であると判断された場合、前記所定時間を累計するステップと、
累計された時間が長いほど、前記データに対する注目度を高く算出するステップと
を含むことを特徴とする請求項７に記載の再生方法。
【請求項９】
コンピュータに、データを再生させるためのコンピュータプログラムにおいて、
コンピュータに、所定時間を経過する都度、再生中のデータを視聴する視聴者に係る情報に基づいて、所定範囲内に存在する視聴者を検知させる検知ステップと、
コンピュータに、前記検知ステップで検知された視聴者の移動速度を検出させる検出ステップと、
コンピュータに、前記検出ステップで検出された移動速度が所定範囲内であるか否かを判断させるステップと、
コンピュータに、所定範囲内であると判断された場合、前記所定時間を累計させるステップと、
コンピュータに、累計された時間が長いほど、前記データに対する視聴者の注目度を高く算出させる算出ステップと
を含むことを特徴とするコンピュータプログラム。
【請求項１０】
前記算出ステップは、コンピュータに、予め設定された複数の時間帯毎に、各時間帯に再生されたデータに対する注目度を算出させることを特徴とする請求項９に記載のコンピュータプログラム。
【請求項１１】
前記視聴者に係る情報は、再生中のデータを視聴する視聴者を時系列的に連続して撮像した画像情報であり、
前記検知ステップは、コンピュータに、前記画像情報に基づいて、該画像情報中の視聴者を検知させ、
前記検出ステップは、コンピュータに、前記画像情報に基づいて、前記検知ステップで検知された視聴者の移動速度を検出させることを特徴とする請求項９又は１０に記載のコンピュータプログラム。
【請求項１２】
コンピュータに、前記算出ステップで算出された注目度に基づいてデータを選択させるステップを含むことを特徴とする請求項９乃至１１のいずれかひとつに記載のコンピュータプログラム。
【発明の詳細な説明】
【技術分野】
【０００１】
本発明は、記憶手段に記憶してあるデータを再生する再生装置、該再生装置による再生処理を制御装置によって制御する再生システム、前記再生装置によるデータの再生方法、前記再生装置をコンピュータによって実現するためのコンピュータプログラムに関するものである。
【背景技術】
【０００２】
顧客の購買意欲を高めるために、店舗内に陳列された商品の近傍にビデオ及びテレビ、又はテレビデオ等を設置し、各商品を宣伝するためのプロモーションビデオを流して顧客に訴求することが一般的に行なわれている。
このように、各商品の近傍に設置されたビデオ及びテレビ、又はテレビデオを用いて各商品のプロモーションビデオを流す場合、例えば店舗の店員がプロモーションビデオの再生ボタンを操作することによって所定のプロモーションビデオの再生処理が開始されるので、プロモーションビデオを視聴する人がいない場合には再生処理が無駄となる。
【０００３】
そこで、特許文献１には、商品の陳列箇所の近傍で人の存在を検知した場合に所定の広告情報の再生処理を実行する電子ＰＯＰ（Point Of Purchase）装置が開示されている。特許文献１に開示された電子ＰＯＰ装置では、再生される広告情報の視聴が可能な範囲内に人が存在する場合にのみ広告情報を再生させるので、広告情報を視聴する人がいない場合には再生処理を実行せず、広告情報の不要な再生処理の実行を防止することができる。これにより、広告情報の再生処理を効率よく実行させることができる。
【特許文献１】特開２００２−１１６８５８号公報
【発明の開示】
【発明が解決しようとする課題】
【０００４】
しかし、特許文献１の装置では、広告情報の視聴が可能な範囲内に人が存在するか否かに基づいてのみ広告情報の再生処理を実行するか否かを判断しており、この範囲内に人が存在すれば、その人が広告情報を実際に視聴しているか否かに拘わらず再生処理を行なっていた。従って、電子ＰＯＰ装置を効率よく活用し、顧客の購買意欲が十分に高まるような訴求を行なうことは困難であるという問題があった。この場合、顧客にとっても広告主にとっても十分な宣伝効果を得ることは困難であった。
【０００５】
本発明は斯かる事情に鑑みてなされたものであり、その目的とするところは、再生されたデータを視聴していた視聴者の注目度を把握することが可能であり、注目度に基づいて各データを客観的に評価することが可能な再生装置、再生システム、再生方法を提供することにある。
【０００６】
本発明の他の目的は、予め設定された時間帯毎に、各時間帯に再生されたデータを視聴していた視聴者の注目度を把握することが可能であり、各時間帯毎に注目度に基づいて各データを客観的に評価することが可能な再生装置、再生システム、前記再生装置をコンピュータで実現可能なコンピュータプログラムを提供することにある。
【０００７】
本発明の他の目的は、所定範囲内の視聴者の移動速度が所定範囲内である時間に基づいて、データに対する視聴者の注目度を算出することにより、視聴者の視聴状況に沿ったより正確な注目度を算出することが可能な再生装置、再生システム、再生方法、前記再生装置をコンピュータで実現可能なコンピュータプログラムを提供することにある。
【０００８】
本発明の他の目的は、再生中のデータを視聴する視聴者を時系列的に撮像して得られた画像情報に基づいて、再生されたデータに対する注目度を算出するので、再生されたデータに対する注目度を画像処理によって容易に算出することが可能な再生装置、再生システム、前記再生装置をコンピュータで実現可能なコンピュータプログラムを提供することにある。
【０００９】
本発明の他の目的は、各データに対する注目度に基づいて、再生すべきデータを選択し、選択されたデータを再生するので、顧客の購買意欲が十分に高まるようなデータの再生処理を行なうことが可能な再生装置、再生システム、前記再生装置をコンピュータで実現可能なコンピュータプログラムを提供することにある。
【課題を解決するための手段】
【００１０】
本発明に係る再生装置は、記憶手段に記憶してあるデータを再生する再生装置において、再生中のデータを視聴する視聴者に係る情報を取得する取得手段と、該取得手段が取得した情報に基づいて、前記データに対する視聴者の注目度を算出する注目度算出手段とを備えることを特徴とする。
【００１１】
本発明に係る再生装置は、時計手段と、予め設定された複数の時間帯をそれぞれ示す時刻を記憶する時刻記憶手段とを備え、前記注目度算出手段は、前記時計手段が示す時刻に基づいて、前記時刻記憶手段に記憶してある各時刻が示す時間帯毎に、各時間帯に再生されたデータに対する注目度を算出するように構成してあることを特徴とする。
【００１２】
本発明に係る再生装置は、所定時間を経過する都度、前記取得手段が取得した情報に基づいて、自身を基準とした所定範囲内に存在する視聴者を検知する検知手段と、該検知手段が検知した視聴者の移動速度を検出する検出手段と、該検出手段が検出した移動速度が所定範囲内であるか否かを判断する判断手段と、該判断手段が所定範囲内であると判断した場合、前記所定時間を累計する累計手段とを備え、前記注目度算出手段は、前記累計手段が累計した時間が長いほど、前記データに対する注目度を高く算出するように構成してあることを特徴とする。
【００１３】
本発明に係る再生装置は、前記取得手段は、再生中のデータを視聴する視聴者を時系列的に連続して撮像した画像情報を取得するように構成してあり、前記検知手段は、前記取得手段が取得した画像情報に基づいて、該画像情報中の視聴者を検知するように構成してあり、前記検出手段は、前記取得手段が取得した画像情報に基づいて、前記検知手段が検知した視聴者の移動速度を検出するように構成してあることを特徴とする。
【００１４】
本発明に係る再生装置は、前記注目度算出手段が算出した注目度に基づいて、再生すべきデータを選択する手段と、選択されたデータを再生する手段とを備えることを特徴とする。
【００１５】
本発明に係る再生システムは、上述したような再生装置のいずれかひとつと、該再生装置が行なう再生処理を制御する制御装置とを備える再生システムにおいて、前記再生装置は、前記注目度算出手段が算出した注目度を前記制御装置へ送出する手段を備え、前記制御装置は、前記再生装置から送出された注目度に基づいて、前記再生装置が再生すべきデータを選択する手段と、選択されたデータの再生指示を前記再生装置へ送出する手段とを備え、前記再生装置は、前記制御装置から送出された再生指示に従って、前記データを再生する手段を備えることを特徴とする。
【００１６】
本発明に係る再生方法は、データを記憶手段に記憶してある再生装置による前記データの再生方法において、再生中のデータを視聴する視聴者に係る情報を取得するステップと、取得した情報に基づいて、前記データに対する視聴者の注目度を算出するステップとを含むことを特徴とする。
【００１７】
本発明に係る再生方法は、所定時間を経過する都度、取得した視聴者に係る情報に基づいて、前記再生装置を基準とした所定範囲内に存在する視聴者を検知するステップと、検知された視聴者の移動速度を検出するステップと、検出された移動速度が所定範囲内であるか否かを判断するステップと、所定範囲内であると判断された場合、前記所定時間を累計するステップと、累計された時間が長いほど、前記データに対する注目度を高く算出するステップとを含むことを特徴とする。
【００１８】
本発明に係るコンピュータプログラムは、コンピュータに、データを再生させるためのコンピュータプログラムにおいて、コンピュータに、所定時間を経過する都度、再生中のデータを視聴する視聴者に係る情報に基づいて、所定範囲内に存在する視聴者を検知させる検知ステップと、コンピュータに、前記検知ステップで検知された視聴者の移動速度を検出させる検出ステップと、コンピュータに、前記検出ステップで検出された移動速度が所定範囲内であるか否かを判断させるステップと、コンピュータに、所定範囲内であると判断された場合、前記所定時間を累計させるステップと、コンピュータに、累計された時間が長いほど、前記データに対する視聴者の注目度を高く算出させる算出ステップとを含むことを特徴とする。
【００１９】
本発明に係るコンピュータプログラムは、前記算出ステップは、コンピュータに、予め設定された複数の時間帯毎に、各時間帯に再生されたデータに対する注目度を算出させることを特徴とする。
【００２０】
本発明に係るコンピュータプログラムは、前記視聴者に係る情報は、再生中のデータを視聴する視聴者を時系列的に連続して撮像した画像情報であり、前記検知ステップは、コンピュータに、前記画像情報に基づいて、該画像情報中の視聴者を検知させ、前記検出ステップは、コンピュータに、前記画像情報に基づいて、前記検知ステップで検知された視聴者の移動速度を検出させることを特徴とする。
【００２１】
本発明に係るコンピュータプログラムは、コンピュータに、前記算出ステップで算出された注目度に基づいてデータを選択させるステップを含むことを特徴とする。
【００２２】
本発明によれば、記憶手段に記憶してあるデータを再生する再生装置が、再生中のデータを視聴する視聴者に係る情報を取得し、取得した情報に基づいて、再生されたデータに対する視聴者の注目度を算出する。よって、各データを視聴した視聴者の注目度を把握することが可能となり、注目度に応じた処理を各データに行なうことが可能となる。
【００２３】
本発明によれば、予め設定された時間帯毎に、各時間帯に再生されたデータに対する注目度を算出することによって、各データに対する時間帯毎の注目度を把握することが可能となり、各時間帯での注目度に応じた処理を各データに行なうことが可能となる。
【００２４】
本発明によれば、所定時間を経過する都度、再生装置を基準とした所定範囲内に存在する視聴者を検知し、検知された視聴者の移動速度を検出し、検出された視聴者の移動速度が所定範囲内であれば、所定時間を累計する。よって、再生装置を基準とした所定範囲内の視聴者、即ち再生装置によって再生中のデータを視聴する視聴者の移動速度が所定範囲内であれば、この視聴者はデータを視聴しているものとして視聴時間が算出される。また、算出された視聴時間が長いほど、再生されたデータに対する視聴者の注目度を高く算出するので、視聴者の視聴状況に応じた注目度の算出が可能となる。
【００２５】
本発明によれば、再生中のデータを視聴する視聴者を時系列的に連続して撮像した画像情報を取得し、このような画像情報に基づいて、この画像情報中の視聴者を検知すると共に、検知した視聴者の移動速度を検出する。また、画像情報に基づいて検出された視聴者の移動速度に基づいて、再生されたデータに対する視聴者の注目度を算出する。よって、再生されたデータを視聴した視聴者の注目度を画像処理によって容易に算出することが可能となる。
【００２６】
本発明によれば、算出された各データに対する視聴者の注目度に基づいて、再生すべきデータを選択し、選択されたデータを再生する。よって、各データに対する注目度に基づいて、顧客の購買意欲が十分に高まるようなデータの再生処理が可能となる。
【００２７】
本発明によれば、再生装置が行なう再生処理を制御する制御装置を備え、再生装置で算出された各データに対する視聴者の注目度に基づいて、制御装置が、再生装置で再生すべきデータを選択する。制御装置は、選択したデータの再生指示を再生装置へ送出し、再生装置は、制御装置から送出された再生指示に従って、対応するデータを再生する。よって、各再生装置は、制御装置によって選択されたデータを再生すればよく、再生すべきデータの選択処理を行なう必要がないので、再生装置による処理負担が軽減される。
【００２８】
本発明によれば、本発明のコンピュータプログラムをコンピュータに読み取らせて実行させることによって、上述したような再生装置をコンピュータによって実現することが可能となる。
【発明の効果】
【００２９】
本発明では、再生装置がデータを再生している際に、このデータを視聴する視聴者に係る情報を取得し、取得した情報に基づいて、再生されたデータに対する視聴者の注目度を算出する。よって、各データに対する注目度に基づいて各データを客観的に評価することができ、注目度に応じた処理を各データに行なうことができる。例えば、注目度の高いデータを優先的に再生させ、注目度の低いデータの再生を制限することによって、より高い宣伝効果が得られるデータを効率よく再生させることができ、顧客の購買意欲が十分に高まるような訴求が可能となる。
【００３０】
本発明では、予め設定された時間帯毎に、各時間帯に再生されたデータに対する視聴者の注目度を算出することによって、各データに対する時間帯毎の客観的な評価が可能となり、各時間帯毎に、注目度に応じた処理を各データに行なうことができる。例えば、各時間帯において、注目度の高いデータを優先的に再生させ、注目度の低いデータの再生を制限することによって、各時間帯においてより高い宣伝効果が得られるデータを効率よく再生させることができ、顧客の購買意欲が十分に高まるような訴求が可能となる。
【００３１】
本発明では、所定時間を経過する都度、再生装置を基準とした所定範囲内に存在する視聴者の移動速度を検出し、検出した移動速度が所定範囲内であれば、この視聴者はデータを視聴しているものとして視聴時間を算出する。そして、算出された視聴時間が長いほど、再生されたデータに対する視聴者の注目度を高い注目度に算出する。従って、再生装置を基準とした所定範囲内に視聴者が存在するか否かだけでなく、この視聴者が再生されるデータを視聴するために立ち止まっているか否かに基づいて、各データに対する視聴者の注目度を算出するので、視聴者の視聴状況に沿ったより正確な注目度を算出することができる。
【００３２】
本発明では、再生中のデータを視聴する視聴者を時系列的に撮像して得られた画像情報に基づいて、この画像情報中の視聴者を検知すると共に、検知された視聴者の移動速度を検出する。また、検出された視聴者の移動速度に基づいて再生されたデータに対する視聴者の注目度を算出するので、再生されたデータに対する注目度を画像処理によって容易に算出することができる。従って、既に公知な画像処理技術を用いて各データに対する注目度を算出することができ、このように算出された注目度に応じた処理を各データに対して行なうことによって、十分な宣伝効果が得られ、顧客の購買意欲が十分に高まるような訴求が可能となる。
【００３３】
本発明では、算出された各データに対する視聴者の注目度に基づいて、再生すべきデータを選択し、選択されたデータを再生するので、顧客の購買意欲が十分に高まるようなデータの再生処理を行なうことができる。よって、再生装置を効率よく活用することができると共に、データの再生処理によって十分な宣伝効果を得ることができる。
【００３４】
本発明では、再生装置が行なう再生処理を制御する制御装置が、再生装置で算出された各データに対する視聴者の注目度に基づいて、再生装置で再生すべきデータを選択する。制御装置は、選択したデータの再生指示を再生処理へ送出し、再生装置は、制御装置から送出された再生指示に従って、制御装置によって選択されたデータを再生する。よって、各再生装置は、再生すべきデータの選択処理を行なう必要がないので、データの選択処理の負担が軽減される。特に、多数の再生装置を利用する場合には、各再生装置による選択処理を行なう必要がないので、特に効果的である。
【発明を実施するための最良の形態】
【００３５】
以下に、本発明に係る再生装置をその実施形態である電子ＰＯＰ装置を示す図面に基づいて詳述する。
【００３６】
（実施形態１）
図１は実施形態１に係る電子ＰＯＰ装置の設置状態を示す模式図である。本実施形態１の電子ＰＯＰ装置１は、広告情報（データ）の再生処理を行なう再生装置であり、例えば商品の陳列棚の適宜箇所に設置される。電子ＰＯＰ装置１の上面にはカメラ２が設置される。なお、電子ＰＯＰ装置１は、陳列された商品を見る顧客の邪魔にならないように設置され、カメラ２は、電子ＰＯＰ装置１で再生される広告情報を視聴する視聴者を撮影できるように設置される。従って、電子ＰＯＰ装置１の表示部１５（図２参照）の表示方向と、カメラ２の撮像方向とを一致させて電子ＰＯＰ装置１及びカメラ２は設置されている。なお、図１においては、カメラ２の撮像範囲は画角θで示す範囲であり、５人の視聴者Ａ，Ｂ，Ｃ，Ｄ，Ｅが撮影されることになる。
【００３７】
本実施形態１では、電子ＰＯＰ装置１とカメラ２とは信号線Ｌ（図２参照）を介して接続されており、カメラ２で撮像された画像データ（画像信号）は信号線Ｌを介して電子ＰＯＰ装置１へ順次転送されてくる。カメラ２は、例えば１秒当たり３０枚の画像データ（画像フレーム）で構成される画像を撮像し、得られた画像データを電子ＰＯＰ装置１へ順次転送する。
【００３８】
なお、電子ＰＯＰ装置１とカメラ２とは、信号線Ｌを介して接続する構成に限られず、例えばIEEE802.11規格に準拠したＷＬＡＮ（Wireless LAN）を介した無線通信が可能に接続してもよい。この場合、電子ＰＯＰ装置１及びカメラ２の配置に要する面積が少なく、売り場の見た目もよい。また、配線がないので商品の売り場を整頓できると共に、通信線Ｌを介して接続する場合のように電子ＰＯＰ装置１で再生される広告情報を視聴する顧客に煩わしさを与えない。
【００３９】
電子ＰＯＰ装置１のユーザは、電子ＰＯＰ装置１に広告情報の再生処理を開始させた場合、カメラ２に撮像処理を開始させる。従って、本実施形態１の電子ＰＯＰ装置１は、広告情報の再生処理を行ないつつ、カメラ２から順次転送されてくる画像データに基づいて、再生中の広告情報を視聴している視聴者の広告情報に対する注目度を算出するように構成されている。これにより、電子ＰＯＰ装置１は、予め登録された広告情報の再生処理を行なうだけでなく、各広告情報に対する視聴者の注目度の管理も行なう。なお、電子ＰＯＰ装置１に、ＬＡＮ等のネットワークを介して複数のカメラを接続することもでき、この場合には、複数のカメラによって視聴者を複数方向から撮影して得られた複数の画像データに基づいてより精度の高い注目度を算出することができる。
【００４０】
図２は実施形態１に係る電子ＰＯＰ装置１の構成例を示すブロック図である。本実施形態１の電子ＰＯＰ装置１に接続して用いられるカメラ２は、例えば、時系列的に連続して画像データを撮像できるデジタルビデオカメラである。具体的には、カメラ２は、制御部２０、ＲＯＭ２１、ＲＡＭ２２、操作部２３、撮像部２４、画像処理部２５、接続部２６等を備え、これらのハードウェア各部はそれぞれバス２ａを介して相互に接続されている。
【００４１】
制御部２０は、ＣＰＵ（Central Processing Unit ）又はＭＰＵ（Micro Processor Unit）等により構成されており、バス２ａを介して接続される上述したようなハードウェア各部を制御すると共に、ＲＯＭ２１に予め格納されている制御プログラムに従って種々の動作を実行する。ＲＯＭ２１は、カメラ２を動作させるために必要な種々の制御プログラム等を予め記憶している。ＲＡＭ２２は、ＳＲＡＭ又はＳＤＲＡＭ等で構成され、制御部２０による制御プログラムの実行時に発生するデータを一時的に記憶する。
【００４２】
操作部２３は、カメラ２をユーザが操作するために必要な各種のキーを備えており、ユーザにより各キーが操作された場合、操作されたキーに対応した制御信号を制御部２０へ送出する。これにより、制御部２０は操作部２３から取得した制御信号に従って各種処理を実行する。
【００４３】
撮像部２４は、撮像レンズ及びＣＣＤ撮像素子等を有しており、撮像レンズを介して捉えた光学像をＣＣＤ撮像素子で光電変換することによりアナログの画像データを生成し、画像処理部２５へ転送する。
画像処理部２５は、ＡＤＣ（アナログ・デジタル・コンバータ）を有しており、撮像部２４から転送されてくるアナログの画像データをＡＤＣにより所定の増幅率で増幅し、増幅された画像データを一定のタイミング毎にサンプリングし、サンプリング処理により得られた各値をデジタルデータに変換し、得られたデジタルの画像データを接続部２６から電子ＰＯＰ装置１へ転送する。
【００４４】
接続部２６は、信号線Ｌを接続するための接続部であり、信号線Ｌを介して接続された電子ＰＯＰ装置１との間でデータの送受信を行なう。本実施形態１では、カメラ２は、撮像部２４で撮像し、画像処理部２５で所定の画像処理が施された画像データを接続部２６を介して電子ＰＯＰ装置１へ順次転送する。
【００４５】
本実施形態１の電子ＰＯＰ装置１は、例えばパーソナルコンピュータによって構成され、制御部１０、ＲＯＭ１１、ＲＡＭ１２、記憶部１３、時計部１４、表示部１５、スピーカ１６、操作部１７、接続部１８等を備え、これらのハードウェア各部はそれぞれバス１ａを介して相互に接続されている。
【００４６】
制御部１０は、ＣＰＵ又はＭＰＵ等により構成されており、バス１ａを介して接続される上述したようなハードウェア各部を制御すると共に、ＲＯＭ１１に予め格納されている制御プログラムに従って種々の動作を実行する。ＲＯＭ１１は、電子ＰＯＰ装置１を本発明の再生装置として動作させるために必要な種々の制御プログラム等を予め記憶している。ＲＡＭ１２は、ＳＲＡＭ又はＳＤＲＡＭ等で構成され、制御部１０による制御プログラムの実行時に発生するデータを一時的に記憶する。
【００４７】
記憶部（記憶手段）１３は、ＨＤＤ、光ディスク又はメモリカード等により構成されており、電子ＰＯＰ装置１で再生処理される広告情報（データ）１３ａをファイル単位で記憶する。広告情報とは、例えば、静止画及び動画等の画像データと音声データとを含み、表示部１５又はスピーカ１６によって再生処理が可能な形式であれば、データ形式又はファイル形式は制限されない。また、広告情報としては例えば、販売される商品及び製品等に関する情報、店舗及び売り場で行われるイベント、タイムセール等を通知するための情報等があり、このような広告情報を電子ＰＯＰ装置１によって再生することによって顧客の購買意欲を高めるように訴求することができる。
【００４８】
また記憶部（時刻記憶手段）１３には、図３に示すような再生情報テーブル１３ｂが記憶されている。図３は再生情報テーブル１３ｂの登録内容を示す模式図である。図３に示す再生情報テーブル１３ｂには、電子ＰＯＰ装置１が行なう再生処理に関する再生情報が複数予め登録されている。各再生情報は、それぞれの再生処理における再生開始時刻、再生終了時刻及び再生される広告情報を含む。なお、広告情報としては、例えば各広告情報を特定するためのファイル名を用いることができる。また、再生情報テーブル１３ｂは、それぞれの再生時間帯（それぞれの再生開始時刻から再生終了時刻までの時間帯）に再生される広告情報に対する注目度を登録できるように構成されている。
【００４９】
再生情報テーブル１３ｂは、電子ＰＯＰ装置１によって再生される広告情報の管理を行なうユーザが操作部１７を介して、電子ＰＯＰ装置１が行なう再生処理を登録する都度、制御部１０によって再生開始時刻、再生終了時刻及び広告情報が登録される。また、カメラ２から転送されてくる画像データに基づいて制御部１０が各広告情報に対する視聴者の注目度を算出する都度、制御部１０によって各広告情報の注目度が登録される。
【００５０】
時計部（時計手段）１４は絶対時間（年、月、日、時、分、秒）を刻時しており、制御部１０は時計部１４が示す絶対時間に基づいて現在時刻を取得する。
【００５１】
表示部１５は、例えば液晶表示パネルからなる表示デバイスであり、制御部１０からの指示に従って、記憶部１３に記憶してある広告情報に含まれる画像データを表示する。また、表示部１５は、広告情報に含まれる画像データのほかに、電子ＰＯＰ装置１の動作状態、ユーザに対して通知すべき情報等の表示も行なう。なお、表示部１５の一部又は全部をタッチパネル方式のものとすることにより、後述の操作部１７の各種のキーのうちの一部又は全部を代用することも可能である。
【００５２】
スピーカ１６は、制御部１０からの指示に従って、記憶部１３に記憶してある広告情報に含まれる音声データを音声出力する。また、スピーカ１６は、広告情報に含まれる音声データのほかに、ユーザに対して通知すべき各種情報の音声出力も行なう。
【００５３】
操作部１７は、電子ＰＯＰ装置１をユーザが操作するために必要な各種のキーを備えており、ユーザにより各キーが操作された場合、操作されたキーに対応した制御信号を制御部１０へ送出する。これにより、制御部１０は操作部１７から取得した制御信号に従って各種処理を実行する。
【００５４】
接続部１８は、信号線Ｌを接続するための接続部であり、信号線Ｌを介して接続されたカメラ２との間でデータの送受信を行なう。本実施形態１では、電子ＰＯＰ装置１は、カメラ２で撮像された画像データを信号線Ｌを介して取得するように構成されており、接続部１８は、カメラ２から転送されてくる画像データ（視聴者に係る情報）を取得する取得手段として動作する。また、接続部１８は、制御部１０からの制御に従って、カメラ２から取得した画像データを記憶部１３へ送出し、記憶部１３に記憶させる。
【００５５】
上述した構成により、本実施形態１の電子ＰＯＰ装置１の制御部１０は、時計部１４から取得した現在時刻に基づいて、記憶部１３に記憶してある再生情報テーブル１３ｂに登録してあるいずれかの再生開始時刻を経過したか否かを判断する。いずれかの再生開始時刻を経過した場合、制御部１０は、この再生開始時刻に対応して再生情報テーブル１３ｂに登録してある広告情報を記憶部１３からＲＡＭ１２に読み出し、読み出した広告情報の再生処理を開始させる。具体的には、制御部１０は、ＲＡＭ１２に読み出した広告情報に含まれる画像データを表示部１５に表示させ、ＲＡＭ１２に読み出した広告情報に含まれる音声データをスピーカ１６によって音声出力する。
【００５６】
また、電子ＰＯＰ装置１の制御部１０は、時計部１４から取得した現在時刻に基づいて、記憶部１３に記憶してある再生情報テーブル１３ｂに登録してあるいずれかの再生終了時刻を経過したか否かを判断する。いずれかの再生終了時刻を経過した場合、制御部１０は、実行中の再生処理を終了させる。具体的には、制御部１０は、表示部１５による画像データの表示処理及びスピーカ１６よる音声データの音声出力処理を終了させる。
【００５７】
ここで、本実施形態１では、電子ＰＯＰ装置１の記憶部１３に、カメラ２から転送されてくる画像データ中に存在する視聴者を検知するための視聴者検知処理プログラム、カメラ２から転送されてくる画像データ中に存在する視聴者の移動速度を検出するための移動速度検出処理プログラム、各広告情報に対する視聴者の注目度を算出するための注目度算出処理プログラム、各広告情報に対する注目度を算出する際に用いる視聴者状況テーブル、参照テーブル及び各種の閾値等が記憶されている。
【００５８】
本実施形態１の電子ＰＯＰ装置１において制御部１０は、再生情報テーブル１３ｂの登録内容に従って広告情報の再生処理を行ないつつ、カメラ２から画像データを取得する場合、画像データを取得する都度、即ち、所定時間（１／３０秒）が経過する都度、記憶部１３に記憶してある視聴者検知処理プログラムをＲＡＭ１２に読み出して順次実行することにより、画像データ中に存在する視聴者を検知する検知手段として動作する。なお、画像データ中の視聴者を検知する方法としては、例えば、画像データ中の各画素の色を検出し、肌色の領域を人（視聴者）であると検知する方法がある。また、時系列的に前後する画像データ中に動体があるか否かを検出し、動体が検出された場合に、動体を人（視聴者）であるとする方法を用いることもできる。
【００５９】
次に制御部１０は、記憶部１３に記憶してある移動速度検出処理プログラムをＲＡＭ１２に読み出して順次実行することにより、検知された画像データ中の視聴者の移動速度を検出する検出手段として動作する。なお、画像データ中の視聴者の移動速度を検出する方法としては、例えば、時系列的に前後する画像データに対してオプティカルフロー処理を行なう方法がある。また、差分算出法により、所定時間を隔てて時系列的に前後する画像データの差分値を算出し、算出した差分値を所定時間で割ることによって動体の移動速度を算出する方法を用いることもできる。
【００６０】
更に制御部１０は、記憶部１３に記憶してある注目度算出処理プログラムをＲＡＭ１２に読み出して順次実行することにより、画像データの撮像時において再生されていた広告情報に対する注目度を算出する注目度算出手段として動作する。具体的には、制御部１０は、算出した各視聴者の移動速度に応じて、各視聴者の広告情報に対する注目度ポイントを決定し、決定された注目度ポイントの総和を、広告情報に対する注目度とする。
【００６１】
以下に、制御部１０が上述のような各処理を行なうことによって、カメラ２で撮像して得られた画像データに基づいて広告情報に対する視聴者の注目度を算出する処理について、図１に示すように広告情報を視聴する５人の視聴者Ａ，Ｂ，Ｃ，Ｄ，Ｅをカメラ２で撮像した画像データに基づいて広告情報の注目度を算出する処理を例に説明する。
【００６２】
図４は視聴者状況テーブル及び参照テーブルの登録内容を示す模式図である。図４（ａ）に示す視聴者状況テーブルには、制御部１０が視聴者検知処理プログラムを実行することによって検知された各視聴者に制御部１０によって割り当てられた視聴者情報、制御部１０が移動速度検出処理プログラムを実行することによって検出された各視聴者の移動速度、制御部１０によって検出された移動速度に基づいて視聴者が広告情報を注目（視聴）しているとされる注目時間（視聴時間）がそれぞれ対応付けて登録されている。
【００６３】
制御部１０は、所定時間（ここでは１／３０秒）毎に視聴者検知処理プログラムを実行することによって、カメラ２から取得した画像データ中の視聴者を検知し、視聴者を検知する都度、検知した視聴者に視聴者情報を割り当て、割り当てた視聴者情報を視聴者状況テーブルに登録する。制御部１０は、例えば画像データ中の視聴者Ａ，Ｂ，Ｃ，Ｄ，Ｅを検知した場合、視聴者状況テーブルの視聴者情報にそれぞれＡ，Ｂ，Ｃ，Ｄ，Ｅを登録する。
【００６４】
次に制御部１０は、移動速度検出処理プログラムを実行することによって、画像データ中の視聴者の移動速度を検出し、視聴者の移動速度を検出する都度、視聴者状況テーブルに登録された各視聴者の移動速度に、検出した移動速度を登録する。具体的には、制御部１０は、視聴者Ａ，Ｂ，Ｃ，Ｄ，Ｅの移動速度として２，０，３，５，３(km/h)を検出した場合、視聴者状況テーブルの各視聴者Ａ，Ｂ，Ｃ，Ｄ，Ｅの移動速度にそれぞれ２，０，３，５，３を登録する。
【００６５】
なお、制御部１０は、注目度算出処理プログラムを実行することによって、移動速度を登録又は更新する際に、検出した移動速度が所定の範囲内（例えば１km/h以上４km/h以下の範囲内）の速度であるか否かを判断する判断手段として動作する。制御部１０は、所定の範囲内の速度であると判断した場合、視聴者状況テーブルの対応する注目時間に所定時間（１／３０秒）を加算する累計手段として動作する。具体的には、視聴者Ａ，Ｃ，Ｅの移動速度（２，３，３）が所定の範囲（１〜４）内の速度であるので、制御部１０は、視聴者状況テーブルの視聴者Ａ，Ｃ，Ｅの注目時間に１／３０を加算する。
【００６６】
一方、検出した移動速度が所定の範囲内の速度でないと判断した場合、制御部１０は、図４（ｂ）に示す参照テーブルを参照して、視聴者状況テーブルの対応する注目時間に応じた注目度ポイントを特定し、特定した注目度ポイントを、再生情報テーブル１３ｂの対応する注目度に加算すると共に、視聴者状況テーブルの対応する注目時間を０にリセットする。具体的には、視聴者Ｂ，Ｄの移動速度（０，５）が所定の範囲（１〜４）外の速度であるので、制御部１０は、視聴者Ｂ，Ｄの注目時間（１５０，０）に対応する注目度ポイントをそれぞれ５，０と特定し、特定した注目度ポイント（５，０）を、再生情報テーブル１３ｂの対応する広告情報の注目度に加算した後、視聴者状況テーブルの視聴者Ｂ，Ｄの注目時間（１５０，０）を０にリセットする。なお、電子ＰＯＰ装置１が広告情報の再生処理を終了した場合、制御部１０は、視聴者情報テーブルの登録内容を全てリセットする。
【００６７】
これにより、電子ＰＯＰ装置１は、広告情報の再生処理を実行中に、再生中の広告情報を視聴する視聴者の移動速度及び移動速度の継続時間（注目時間）に基づいて、広告情報に対する注目度を算出することができる。従って、各視聴者が所定の範囲内の移動速度で移動を継続している時間、即ち、電子ＰＯＰ装置１の周囲で広告情報を視聴している可能性の高い時間が長いほど高い注目度が算出されるので、注目度に基づいて各広告情報を客観的に評価することができる。また、電子ＰＯＰ装置１は、再生情報テーブル１３ｂに予め登録された再生開始時刻及び再生終了時刻に従って各広告情報の再生処理を行なっているので、各広告情報に対して算出された注目度に従って、各時間帯毎に各広告情報を評価することができる。
【００６８】
更に、電子ＰＯＰ装置１を異なる場所にそれぞれ設置し、同一の広告情報を再生させた場合には、算出された注目度に基づいて、電子ＰＯＰ装置１を設置した各場所を評価することもできる。なお、このようにして算出された注目度に基づいて、各広告情報をより最適な場所及び時刻に再生させることによって、より効果的な宣伝効果を得ることができる。
【００６９】
本実施形態１では、ユーザが、例えば電子ＰＯＰ装置１の電源ボタン（図示せず）をオンすることによって電子ＰＯＰ装置１に通常動作を開始させた場合に、カメラ２の録画ボタン（図示せず）もオンすることによってカメラ２に撮像処理を開始させる構成について説明した。しかし、例えば、カメラ２による撮像処理の開始及び終了を電子ＰＯＰ装置１が制御するように構成することもでき、この場合には、電子ＰＯＰ装置１による広告情報の再生処理に連動させてカメラ２に撮像処理を行なわせることができるので、必要な画像データを効率よく取得することができる。
【００７０】
以下に、本実施形態１の電子ＰＯＰ装置１が広告情報の再生処理を行なう際の処理について説明する。図５及び図６は電子ＰＯＰ装置１による制御処理の手順を示すフローチャートである。なお、以下の処理は、電子ＰＯＰ装置１のＲＯＭ１１又は記憶部１３に記憶してある制御プログラムに従って制御部１０によって実行される。
【００７１】
電子ＰＯＰ装置１が通常動作を行なっている場合、制御部１０は、所定のタイミングで時計部１４から取得する現在時刻に基づいて、記憶部１３に記憶してある再生情報テーブル１３ｂに登録してあるいずれかの再生開始時刻を経過したか否かを判断する（Ｓ１）。いずれの再生開始時刻も経過していない場合（Ｓ１：ＮＯ）、制御部１０は、通常動作を行ないつつ待機する。なお、電子ＰＯＰ装置１は、このときにカメラ２から画像データが転送されてきても、画像データに基づく注目度の算出処理は行なわない。
【００７２】
いずれかの再生開始時刻を経過した場合（Ｓ１：ＹＥＳ）、制御部１０は、経過した再生開始時刻に対応する広告情報を再生情報テーブル１３ｂに基づいて特定し、特定した広告情報を記憶部１３からＲＡＭ１２に読み出す（Ｓ２）。そして制御部１０は、ＲＡＭ１２に読み出した広告情報の再生処理を開始する（Ｓ３）。
【００７３】
制御部１０は、広告情報の再生処理を実行している間、カメラ２から転送されてくる画像データを接続部１８を介して取得したか否かを判断し（Ｓ４）、取得していない場合（Ｓ４：ＮＯ）、ステップＳ１３へ処理を移行する。カメラ２からの画像データを取得したと判断した場合（Ｓ４：ＹＥＳ）、制御部１０は、視聴者検知処理プログラムを実行することにより、取得した画像データ中の視聴者を検知する（Ｓ５）。
【００７４】
制御部１０は、取得した画像データ中に視聴者を検知できたか否かを判断し（Ｓ６）、検知できた場合（Ｓ６：ＹＥＳ）、視聴者状況テーブルを更新する（Ｓ７）。具体的には、制御部１０は、検知した視聴者を特定する視聴者情報を視聴者状況テーブルの視聴者情報欄に登録する。画像データ中に視聴者を検知できなかった場合（Ｓ６：ＮＯ）、制御部１０はステップＳ７の処理をスキップする。
【００７５】
次に制御部１０は、移動速度検出処理プログラムを実行することにより、検知された画像データ中の視聴者の移動速度を検出する（Ｓ８）。制御部１０は、検出した視聴者の移動速度が所定の範囲内であるか否かを判断し（Ｓ９）、所定の範囲内であると判断した場合（Ｓ９：ＹＥＳ）、視聴者状況テーブルを更新する（Ｓ１０）。具体的には、制御部１０は、視聴者状況テーブルの対応する視聴者の注目時間の欄に所定時間を加算すると共に、検出した視聴者の移動速度を視聴者状況テーブルの対応する視聴者の移動速度の欄に登録する。
【００７６】
検出した視聴者の移動速度が所定の範囲内でないと判断した場合（Ｓ９：ＮＯ）、制御部１０は、再生情報テーブル１３ｂを更新する（Ｓ１１）。具体的には、制御部１０は、視聴者状況テーブルの対応する視聴者の注目時間の欄に記憶してある各注目時間に割り当てられている注目度ポイントをそれぞれ特定し、特定した注目度ポイントを、再生情報テーブル１３ｂの対応する広告情報の注目度の欄に加算する。そして、制御部１０は、視聴者状況テーブルを更新する（Ｓ１２）。具体的には、制御部１０は、ステップＳ８で検出した視聴者の移動速度を視聴者状況テーブルの対応する視聴者の移動速度の欄に登録すると共に、この移動速度に対応する注目時間を０にリセットする。
【００７７】
制御部１０は、所定のタイミングで時計部１４から取得する現在時刻に基づいて、記憶部１３に記憶してある再生情報テーブル１３ｂに登録してあるいずれかの再生終了時刻を経過したか否かを判断する（Ｓ１３）。いずれの再生終了時刻も経過していない場合（Ｓ１３：ＮＯ）、制御部１０は、ステップＳ４へ処理を戻し、カメラ２から取得する画像データに基づいて、画像データ中の視聴者の検知処理、視聴者の移動速度の検出処理、各広告情報の注目度の算出処理を繰り返す。いずれかの再生終了時刻を経過した場合（Ｓ１３：ＹＥＳ）、制御部１０は、実行中の再生処理を終了させる（Ｓ１４）。
【００７８】
実行中の再生処理を終了させた場合、制御部１０は、視聴者状況テーブルに登録された各視聴者の注目時間に対応する注目度ポイントをそれぞれ特定し、特定した各注目度ポイントを、再生情報テーブル１３ｂの対応する広告情報の注目度の欄に加算して再生情報テーブル１３ｂを更新する（Ｓ１５）。なお、制御部１０は、実行中の再生処理を終了させ、再生情報テーブル１３ｂの更新が完了した場合、視聴者状況テーブルの登録内容をリセットしておく。
【００７９】
制御部１０は、ユーザが操作部１７を操作することによって電子ＰＯＰ装置１による上述したような処理の終了が指示されたか否かを判断し（Ｓ１６）、処理の終了が指示されたと判断した場合（Ｓ１６：ＹＥＳ）、上述した処理を終了する。処理の終了が指示されていないと判断した場合（Ｓ１６：ＮＯ）、制御部１０はステップＳ１へ処理を戻し、再生情報テーブル１３ｂに登録してあるいずれかの再生開始時刻が経過する都度、上述したステップＳ２〜Ｓ１６の処理を繰り返す。
【００８０】
（実施形態２）
以下に、実施形態２における電子ＰＯＰ装置について説明する。図７は実施形態２に係る電子ＰＯＰ装置の構成例を示すブロック図である。なお、本実施形態２の電子ＰＯＰ装置は、上述した実施形態１の電子ＰＯＰ装置１と同様の構成により実現することができ、同一の構成については同一の符号を付して説明を省略する。
【００８１】
なお、本実施形態２の電子ＰＯＰ装置１は、実施形態１で説明したように、再生情報テーブル１３ｂに登録してある再生開始時刻及び再生終了時刻に従って各広告情報の再生処理を行ないつつ、各広告情報に対する視聴者の注目度を算出し、再生情報テーブル１３ｂに各広告情報の注目度を登録した後、各広告情報の注目度に基づいて、各時間帯毎により注目度の高い広告情報を選択するように構成されている。
【００８２】
本実施形態２の電子ＰＯＰ装置１は、図２に示した各構成のほかに、上述したように各広告情報について算出した注目度に基づいて各時間帯に最適な広告情報を選択するための広告情報選択処理プログラム１３ｃが予め記憶部１３に記憶されている。
【００８３】
本実施形態２の電子ＰＯＰ装置１は、実施形態１で説明したように、カメラ２から順次転送されてくる画像データに基づいて各広告情報に対する視聴者の注目度を算出し、再生情報テーブル１３ｂに各広告情報の注目度が登録してある状態で、ユーザが操作部１７を介して、各時間帯に最適な広告情報を選択する処理の実行指示を行なった場合、制御部１０は、記憶部１３に記憶してある広告情報選択処理プログラム１３ｃをＲＡＭ１２に読み出して実行する。
【００８４】
制御部１０はまず、再生情報テーブル１３ｂに登録してある各広告情報の注目度に基づいて、図８に示すような注目度テーブルを生成する。図８は注目度テーブルの登録内容を示す模式図である。図８に示す注目度テーブルには、予め設定された時間帯毎に、各時間帯に再生された各広告情報に対する注目度が登録されている。なお、ここでは１時間毎に、各広告情報に対する注目度に基づいて最適な広告情報の選択処理を行なうこととするが、これに限られない。
【００８５】
具体的には、制御部１０は、再生情報テーブル１３ｂを参照し、各時間帯（例えば、10:00〜11:00の間）に再生された広告情報を特定し、特定した広告情報の注目度の総和を広告情報毎に算出し、注目度テーブルに登録する。図３に示す再生情報テーブル１３ｂが記憶部１３に記憶してある電子ＰＯＰ装置１において、制御部１０はまず、10:00〜11:00の間に再生された広告情報ＣＭ１，ＣＭ２，ＣＭ３，ＣＭ４を特定する。そして制御部１０は、広告情報ＣＭ１について、10:00，10:20，10:40に開始された再生処理の際の注目度の総和を算出し、算出した総和を注目度テーブルの10:00〜11:00の時間帯に対応する領域に登録する。なお、他の広告情報ＣＭ２，ＣＭ３，ＣＭ４についても同様の処理を行なう。
【００８６】
図８に示す注目度テーブルを生成した後、制御部１０は、各時間帯において最適な広告情報を選択する。ここでは、説明の簡略化のため、各時間帯において最高の注目度を得た広告情報を選択することとする。具体的には、制御部１０は、10:00〜11:00の時間帯においては広告情報ＣＭ４を最適な広告情報に選択し、11:00〜12:00の時間帯においても広告情報ＣＭ４を最適な広告情報に選択する。制御部１０は、このように各時間帯毎に選択した最適な広告情報を、各時間帯に対応付けて記憶部１３に記憶させる。
【００８７】
これにより、電子ＰＯＰ装置１は、例えば、次の日の各時間帯には、前日に最適であると選択された広告情報の再生処理を実行することができるので、各広告情報に対する注目度をすぐに広告情報の再生処理に反映させることができ、より高い宣伝効果が得られる再生処理が可能となる。
【００８８】
以下に、本実施形態２の電子ＰＯＰ装置１による広告情報の選択処理についてフローチャートに基づいて説明する。図９は電子ＰＯＰ装置１による広告情報の選択処理の手順を示すフローチャートである。なお、以下の処理は、ＲＯＭ１１又は記憶部１３に記憶してある制御プログラムに従って制御部１０によって実行される。
【００８９】
再生情報テーブル１３ｂに各広告情報の注目度が登録された電子ＰＯＰ装置１において、制御部１０は、ユーザが操作部１７を介して広告情報の選択処理の実行を指示したか否かを判断しており（Ｓ２１）、指示していない場合（Ｓ２１：ＮＯ）、広告情報の選択処理の実行が指示されるまで通常動作を行なって待機する。
【００９０】
ユーザが広告情報の選択処理の実行を指示した場合（Ｓ２１：ＹＥＳ）、制御部１０は、記憶部１３に記憶してある広告情報選択処理プログラム１３ｃをＲＡＭ１２に読み出して実行することにより、図８に示すような注目度テーブルを生成する（Ｓ２２）。具体的には、制御部１０は、再生情報テーブル１３ｂに登録してある各広告情報の注目度について、注目度テーブルに登録されている各時間帯毎に、各時間帯に再生された広告情報の注目度の総和を算出して注目度テーブルの対応する領域に登録する。
【００９１】
制御部１０は、生成した注目度テーブルから、１つの時間帯での各広告情報の注目度をＲＡＭ１２に読み出し（Ｓ２３）、この時間帯における最適な広告情報を選択し、選択した広告情報を時間帯に対応付けて記憶部１３に記憶する（Ｓ２４）。制御部１０は、注目度テーブルに登録してある全ての時間帯に対して最適な広告情報を選択する処理が終了したか否かを判断し（Ｓ２５）、全ての時間帯に対する処理が終了したと判断した場合（Ｓ２５：ＹＥＳ）、上述した処理を終了する。
【００９２】
全ての時間帯に対する処理が終了していないと判断した場合（Ｓ２５：ＮＯ）、制御部１０は、ステップＳ２３に処理を戻し、次の時間帯での各広告情報の注目度をＲＡＭ１２に読み出し（Ｓ２３）、ステップＳ２４，Ｓ２５の処理を繰り返す。これにより、予め設定された各時間帯において最適な広告情報を選択することができる。
【００９３】
上述した実施形態２では、各時間帯について、より高い注目度を得た広告情報を最適な広告情報として選択する構成について説明したが、１つの広告情報に対する各時間帯における注目度に基づいて、この広告情報をより高い注目度を得ることができる時間帯を特定し、特定した時間帯に再生させるようにしてもよい。また、上述した実施形態２では、各時間帯において最高の注目度を得た広告情報を、例えば次の日の同じ時間帯に再生させる構成について説明したが、各時間帯における複数の広告情報の注目度に差が少ない場合には、再生すべき広告情報として１つの広告情報を選択するのではなく、複数の広告情報を順次再生させるようにしてもよい。
【００９４】
以下に、上述した実施形態２の変形例として、電子ＰＯＰ装置１が、図８に示すような注目度テーブルを生成した場合に、各広告情報に対する注目度に応じた時間だけ各広告情報を再生させる再生情報を生成する処理について説明する。これにより、各時間帯において最高の注目度を得た広告情報のみを次の日の同じ時間帯に再生させるのではなく、各広告情報の再生時間を注目度に応じて変更することができる。また、各時間帯における複数の広告情報の注目度に差が少ない場合であっても、各注目度に応じた時間の再生処理が可能となり、視聴者の注目度を反映させた広告情報の再生処理が可能となる。
【００９５】
図１０は電子ＰＯＰ装置１による再生情報の生成処理の手順を示すフローチャートである。なお、以下の処理は、ＲＯＭ１１又は記憶部１３に記憶してある制御プログラムに従って制御部１０によって実行される。
【００９６】
再生情報テーブル１３ｂに各広告情報の注目度が登録された電子ＰＯＰ装置１において、制御部１０は、ユーザが操作部１７を介して、各広告情報に対する注目度に応じた再生情報の生成を指示したか否かを判断し（Ｓ３１）、指示していない場合（Ｓ３１：ＮＯ）、再生情報の生成が指示されるまで通常動作を行なって待機する。
【００９７】
ユーザが再生情報の生成を指示した場合（Ｓ３１：ＹＥＳ）、制御部１０は、記憶部１３に記憶してある広告情報選択処理プログラム１３ｃをＲＡＭ１２に読み出して実行することにより、注目度テーブルを生成する（Ｓ３２）。制御部１０は、生成した注目度テーブルから、１つの時間帯での各広告情報に対する注目度をＲＡＭ１２に読み出し（Ｓ３３）、読み出した各注目度に基づいて、各広告情報の再生時間の割合を算出する（Ｓ３４）。
【００９８】
具体的には、例えば図８に示す注目度テーブルにおいて、10:00〜11:00の時間帯における広告情報ＣＭ１，ＣＭ２，ＣＭ３，ＣＭ４の注目度はそれぞれ、８０，６３，９０，１００であるので、各広告情報の再生時間の割合は、80/(80+63+90+100)：63/(80+63+90+100)：90/(80+63+90+100)：100/(80+63+90+100)によって、0.24：0.19：0.27：0.30と算出される。
【００９９】
制御部１０は、算出された割合に基づいて、所定時間における各広告情報の再生時間を算出する（Ｓ３５）。具体的には、算出された割合が0.24：0.19：0.27：0.30である場合、所定時間（例えば２０分間）における各広告情報ＣＭ１，ＣＭ２，ＣＭ３，ＣＭ４の再生時間はそれぞれ、４．８，３．８，５．４，６分と算出される。
【０１００】
制御部１０は、算出された所定時間における各広告情報の再生時間に基づいて、この時間帯における各広告情報の再生開始時刻及び再生終了時刻を特定することによって、各広告情報の再生情報を生成し、生成された各再生情報を再生情報テーブルとして記憶部１３に記憶させる（Ｓ３６）。制御部１０は、注目度テーブルに登録してある全ての時間帯に対して再生情報を生成する処理が終了したか否かを判断し（Ｓ３７）、全ての時間帯に対する処理が終了したと判断した場合（Ｓ３７：ＹＥＳ）、上述した処理を終了する。
【０１０１】
全ての時間帯に対する処理が終了していないと判断した場合（Ｓ３７：ＮＯ）、制御部１０は、ステップＳ３３に処理を戻し、次の時間帯での各広告情報に対する注目度をＲＡＭ１２に読み出し（Ｓ３３）、ステップＳ３４〜Ｓ３７の処理を繰り返すことにより、各時間帯において最適な再生情報を生成することができる。図１１は再生情報テーブルの登録内容を示す模式図であり、上述したような処理を行なうことにより、図１１に示すように、各時間帯において、各広告情報に対する注目度に応じた再生時間で各広告情報の再生処理が可能な再生情報を生成することができる。
【０１０２】
（実施形態３）
以下に、実施形態３における電子ＰＯＰ装置について説明する。図１２は実施形態３に係る電子ＰＯＰ装置の構成例を示すブロック図である。なお、本実施形態３の電子ＰＯＰ装置は、上述した実施形態１，２の電子ＰＯＰ装置１と同様の構成により実現することができ、同一の構成については同一の符号を付して説明を省略する。
【０１０３】
本実施形態３の電子ＰＯＰ装置１は、カメラ２のほかに、コンピュータ３との接続が可能に構成されている。従って、本実施形態３の電子ＰＯＰ装置１は、図２に示した各構成のほかに、コンピュータ３との間でデータの送受信を行なうための通信部１９がバス１ａに接続されている。このように電子ＰＯＰ装置１とコンピュータ３とを接続することにより、本発明に係る再生システム（電子ＰＯＰシステム）１００を実現している。なお、コンピュータ３は、例えば店舗内に設置すればよく、商品の陳列棚の適宜箇所に設置された電子ＰＯＰ装置１の近傍に設置する必要はない。
【０１０４】
なお、本実施形態３では、電子ＰＯＰ装置１とコンピュータ３とは、ＬＡＮ（Local Area Network）、ＰＬＣ（Power Line Communications）等の通信線１０１を介して接続されている。電子ＰＯＰ装置１とコンピュータ３とは、例えばIEEE802.11規格に準拠したＷＬＡＮ（Wireless LAN）を介した無線通信が可能に接続してもよく、この場合、電子ＰＯＰ装置１とコンピュータ３との間に配線がないので、配置に要する面積が少なく、売り場の見た目もよい。また、電子ＰＯＰ装置１及びコンピュータ３がインターネットのようなネットワークと接続できる構成であれば、インターネットを介して接続してもよい。この場合、コンピュータ３を店舗内に設置する必要はない。
【０１０５】
上述した実施形態１，２では、電子ＰＯＰ装置１で再生される広告情報に対する視聴者の注目度の算出処理、及び各広告情報に対する注目度に基づく最適な広告情報の選択処理を電子ＰＯＰ装置１によって行なう構成について説明した。本実施形態３の電子ＰＯＰシステム１００では、電子ＰＯＰ装置１は、各広告情報に対する注目度の算出処理は行なうが、算出した注目度をコンピュータ３へ送出し、最適な広告情報の選択処理はコンピュータ３によって行なわれる。
【０１０６】
コンピュータ３は、例えばパーソナルコンピュータであり、図１２に示すように、制御部３０、ＲＯＭ３１、ＲＡＭ３２、ＨＤＤ３３、操作部３４、表示部３５、通信線１０１と接続するための通信部３６等を備え、これらのハードウェア各部はそれぞれバス３ａを介して相互に接続されている。
【０１０７】
制御部３０は、ＣＰＵ又はＭＰＵ等により構成されており、バス３ａを介して接続される上述したようなハードウェア各部を制御すると共に、ＲＯＭ３１に予め格納されている制御プログラムに従って種々の動作を実行する。ＲＯＭ３１は、コンピュータ３を本発明の電子ＰＯＰシステム１００に利用できる制御装置として動作させるために必要な種々の制御プログラム等を予め記憶している。ＲＡＭ３２は、ＳＲＡＭ又はＳＤＲＡＭ等で構成され、制御部３０による制御プログラムの実行時に発生するデータを一時的に記憶する。
【０１０８】
ＨＤＤ３３は大容量の記憶装置であり、ＨＤＤ３３にはコンピュータ３の動作に必要な種々の制御プログラム、電子ＰＯＰ装置１から取得した再生情報テーブル３３ａ（図３参照）、再生情報テーブル３３ａの登録内容に基づいて各時間帯に最適な広告情報を選択するための広告情報選択処理プログラム等が記憶されている。なお、電子ＰＯＰ装置１は、各広告情報に対する視聴者の注目度の算出処理を行ない、各広告情報に対する注目度を再生情報テーブル１３ｂに登録した後、所定のタイミングで再生情報テーブル１３ｂをコンピュータ３へ送出する。
【０１０９】
操作部３４は、コンピュータ３をユーザが操作するために必要な各種のキーを備えており、ユーザにより各キーが操作された場合、操作されたキーに対応した制御信号を制御部３０へ送出する。これにより、制御部３０は操作部３４から取得した制御信号に従って各種処理を実行する。
表示部３５は、例えば液晶表示パネルからなる表示デバイスであり、制御部３０からの指示に従って、コンピュータ３の動作状態、ユーザに対して通知すべき情報等の表示を行なう。
【０１１０】
上述した構成により、本実施形態３の電子ＰＯＰシステム１００では、コンピュータ３は、各広告情報に対する視聴者の注目度が登録された再生情報テーブル１３ｂを電子ＰＯＰ装置１から取得した場合、ＨＤＤ３３に記憶させる。そして、例えばユーザが操作部３４を介して、各時間帯に最適な広告情報を選択する処理の実行指示を行なった場合、コンピュータ３の制御部３０は、ＨＤＤ３３に記憶してある広告情報選択処理プログラムをＲＡＭ３２に読み出して実行することにより、各時間帯において最適な広告情報の再生処理を行なうための再生情報が登録された新たな再生情報テーブルを生成する。なお、各広告情報に対する注目度に基づいて最適な広告情報を選択する処理は、実施形態２で説明した処理と同様であるので説明を省略する。
【０１１１】
このように、電子ＰＯＰ装置１をコンピュータ３と接続し、電子ＰＯＰ装置１で再生された広告情報に対する注目度に基づいて最適な広告情報を選択する処理をコンピュータ３によって行なうことにより、電子ＰＯＰ装置１による処理負担を軽減することができる。また、コンピュータ３の制御部３０は、各時間帯毎に最適な広告情報を選択し、新たな再生情報テーブルを生成した場合、生成した再生情報テーブルを電子ＰＯＰ装置１へ送出することによって、各時間帯毎に選択した最適な広告情報の再生処理を実行させる再生指示を電子ＰＯＰ装置１へ送出する。
【０１１２】
従って、電子ＰＯＰ装置１が、コンピュータ３から取得した再生情報テーブルの登録内容に従って、対応する時間帯に対応する広告情報を再生させることにより、より効果的な宣伝効果が得られる広告情報の再生が可能となる。またこの場合、電子ＰＯＰ装置１を管理するユーザは、電子ＰＯＰ装置１で再生される広告情報の再生情報（再生情報テーブルの登録内容）を変更することなく、各広告情報に対する注目度に応じて、再生させる広告情報を変更することができ、ユーザの操作負担を軽減することができる。
【０１１３】
上述した実施形態３では、電子ＰＯＰ装置１によって生成された再生情報テーブル１３ｂをコンピュータ３へ転送し、コンピュータ３が、再生情報テーブル３３ａに基づいて、各時間帯における最適な広告情報の選択処理を行なっていた。しかし、電子ＰＯＰ装置１が再生処理を行なう各広告情報の再生開始時刻及び再生終了時刻をコンピュータ３でも管理しておき、カメラ２で撮像された画像データをそのままコンピュータ３へ転送するように構成した場合には、各広告情報に対する注目度の算出処理もコンピュータ３で行なうことができる。この場合、電子ＰＯＰ装置１による処理負担を更に軽減することができる。
【０１１４】
上述した実施形態３では、１つのコンピュータ３に１つの電子ＰＯＰ装置１を接続した構成について説明したが、１つのコンピュータ３に複数の電子ＰＯＰ装置１を接続してもよい。この場合、各電子ＰＯＰ装置１において再生された広告情報に対する注目度を考慮して、各電子ＰＯＰ装置１における最適な広告情報を選択することができるので、複数の電子ＰＯＰ装置１を利用してより高い宣伝効果を得ることができる広告情報の再生が可能となる。
【０１１５】
また、複数の電子ＰＯＰ装置１による再生処理の開始及び終了をコンピュータ３によって制御させるように構成することもできる。具体的には、コンピュータ３が、各電子ＰＯＰ装置１において再生すべき広告情報を決定すると共に、決定した広告情報の再生指示を各電子ＰＯＰ装置１へ送出する。各電子ＰＯＰ装置１は、コンピュータ３からの再生指示に従って、対応する広告情報の再生処理を行なうことにより、電子ＰＯＰ装置１を管理するユーザが、電子ＰＯＰ装置１で再生される広告情報の再生情報を変更することなく、各広告情報の注目度に応じて再生させる広告情報を変更することができる。この場合、複数の電子ＰＯＰ装置１による広告情報の再生処理を同期させて、例えば、同一の時間帯に複数の電子ＰＯＰ装置１に同一の広告情報を再生させることにより、インパクトのある訴求が可能となる。
【０１１６】
更に、コンピュータ３と電子ＰＯＰ装置１とをインターネットを介して接続し、複数の電子ＰＯＰ装置１による再生処理の開始及び終了をコンピュータ３によって制御した場合には、複数の店舗にそれぞれ設置された複数の電子ＰＯＰ装置１における各広告情報の注目度の算出処理、各電子ＰＯＰ装置１における最適な広告情報の選択処理をコンピュータ３によって一括に実行できると共に、各店舗の店員が何の操作も行なうことなく、各店舗に設置された電子ＰＯＰ装置１毎に最適な広告情報の再生処理を実行させることができる。
【０１１７】
上述した実施形態１〜３では、電子ＰＯＰ装置１に信号線Ｌを介してカメラ２を接続する構成について説明したが、カメラ２が内蔵された電子ＰＯＰ装置１を用いてもよい。この場合、電子ＰＯＰ装置１とカメラ２とを接続する信号線Ｌが不要となるため、電子ＰＯＰ装置１の配置に要する面積がより削減できる。
【０１１８】
上述した実施形態１〜３では、カメラ２によって撮像された画像データに基づいて、画像データ中に存在する視聴者の移動速度を算出し、各視聴者の移動速度及び該移動速度の継続時間（注目時間）に応じて各視聴者の注目度ポイントを決定する構成について説明した。しかし、例えば、画像データに基づいて算出された各視聴者の移動速度を、画像データの左右方向及び前後方向に分解し、各方向における移動速度を考慮して注目度ポイントを決定するようにしてもよい。
【０１１９】
具体的には、例えば、画像データの奥行方向へ視聴者が移動している場合には、この視聴者は電子ＰＯＰ装置１から遠ざかる方向へ移動しているので、注目度の算出対象から外してもよい。また、画像データの左端（又は右端）に存在する視聴者が更に左方向（又は右方向）へ移動している場合、この視聴者はカメラ２の撮像範囲から外れる方向へ移動しているので、注目度の算出対象から外してもよい。このように、各視聴者の移動速度だけでなく、移動方向も含めて注目度ポイントを決定した場合には、各視聴者の行動に沿った精度のよい注目度を得ることができる。
【０１２０】
また、画像データに基づいて各視聴者の顔の向きを検出し、各視聴者の顔の向きを考慮して各視聴者の注目度ポイントを決定するようにしてもよい。具体的には、例えば、画像データ中の視聴者が正面を向いていない場合、即ち電子ＰＯＰ装置１を見ていない場合には、この視聴者は電子ＰＯＰ装置１によって再生されている広告情報を視聴していないので、注目度の算出対象から外してもよい。同様に、画像データ中の視聴者の眼及び視線を検出し、電子ＰＯＰ装置１を見ているか否かを考慮して注目度ポイントを決定するようにしてもよい。これらの場合にも、各視聴者の行動に沿った精度のよい注目度を得ることができる。
【０１２１】
上述した実施形態１〜３では、画像データに基づいて、画像データ中の視聴者を検知し、検知した視聴者の移動速度及び該移動速度の継続時間を検出し、検出した移動速度及び継続時間に応じて各視聴者の注目度ポイントを決定する構成について説明した。しかし、例えば、画像データの輝度又は明度等に基づいて、各広告情報に対する注目度を決定するようにしてもよい。
【０１２２】
具体的には、例えば、基準となる画像データの明度（輝度）を基準明度（基準輝度）として設定しておき、この基準明度（基準輝度）を下回る明度（輝度）の画像データを撮像した場合には、このとき電子ＰＯＰ装置１の周囲には人（視聴者）が群がっていたとして、このとき再生されていた広告情報に対する注目度を高い値とする。一方、基準明度（基準輝度）以上の明度（輝度）の画像データを撮像した場合には、このとき電子ＰＯＰ装置１の周囲には人が群がっていないとして、このとき再生されていた広告情報に対する注目度を低い値とする。これにより、画像データ中の視聴者の検知処理、視聴者の移動速度の検出処理等の処理を行なうことなく、電子ＰＯＰ装置１の周囲の視聴者の視聴状況に沿った注目度を算出することができる。
【０１２３】
また、画像データを用いず、赤外線センサ等のように人（視聴者）の移動を検知できるセンサを利用し、電子ＰＯＰ装置１の周囲の人の移動速度を検出するように構成してもよく、この場合にはカメラ２が不要となる。
【図面の簡単な説明】
【０１２４】
【図１】実施形態１に係る電子ＰＯＰ装置の設置状態を示す模式図である。
【図２】実施形態１に係る電子ＰＯＰ装置の構成例を示すブロック図である。
【図３】再生情報テーブルの登録内容を示す模式図である。
【図４】視聴者状況テーブル及び参照テーブルの登録内容を示す模式図である。
【図５】電子ＰＯＰ装置による制御処理の手順を示すフローチャートである。
【図６】電子ＰＯＰ装置による制御処理の手順を示すフローチャートである。
【図７】実施形態２に係る電子ＰＯＰ装置の構成例を示すブロック図である。
【図８】注目度テーブルの登録内容を示す模式図である。
【図９】電子ＰＯＰ装置による広告情報の選択処理の手順を示すフローチャートである。
【図１０】電子ＰＯＰ装置による再生情報の生成処理の手順を示すフローチャートである。
【図１１】再生情報テーブルの登録内容を示す模式図である。
【図１２】実施形態３に係る電子ＰＯＰ装置の構成例を示すブロック図である。
【符号の説明】
【０１２５】
１  電子ＰＯＰ装置（再生装置）
１０  制御部（注目度算出手段、検知手段、検出手段、判断手段、累計手段）
１３  記憶部（記憶手段、時刻記憶手段）
１４  時計部（時計手段）
１８  接続部（取得手段）
【図１】
2008197266.tif 000003
【図２】
2008197266.tif 000004
【図３】
2008197266.tif 000005
【図４】
2008197266.tif 000006
【図５】
2008197266.tif 000007
【図６】
2008197266.tif 000008
【図７】
2008197266.tif 000009
【図８】
2008197266.tif 000010
【図９】
2008197266.tif 000011
【図１０】
2008197266.tif 000012
【図１１】
2008197266.tif 000013
【図１２】
2008197266.tif 000014